(57)【要約】【課題】光ピックアップの光源となる半導体レーザーの光軸調整装置に関する。【解決手段】半導体レーザー素子１を保持しハウジング２に取り付ける保持部材３は、半導体レーザー素子１が取り付けられる取付け孔８と該取付け孔８の周縁に放熱性接着剤を注入する注入孔１０ａ、１０ｂ、１０ｃを設けたホルダー部４とハウジング２に取り付けられるベース部５とが金属製材料で一体成型により別ブロックに形成されると共に、前記ホルダー部４とベース部５間は、前記取付け孔８の周縁外周方向に形成される連結部で繋がっており、連結部を支点としてべース部５に対してホルダー部４を傾けることにより半導体レーザーの光軸を調整するようにしたものである。【選択図】    図１
2004171627.tif 000002
【特許請求の範囲】
【請求項１】
信号記録媒体に照射する光ビームを発生させる光源として半導体レーザーを使用し、該半導体レーザーを含む各種光学部品がハウジングに組込まれる光ピックアップの半導体レーザー光軸調整装置において、半導体レーザー素子を保持しハウジングに取り付ける保持部材は、半導体レーザー素子が取り付けられる取付け孔と該取付け孔の周縁に放熱性接着剤を注入する注入孔を設けたホルダー部とハウジングに取り付けられるベース部とが金属製材料で一体成型により別ブロックに形成されると共に、前記ホルダー部とベース部間は、前記取付け孔の周縁外周方向に形成される連結部で繋がっており、連結部を支点としてべース部に対してホルダー部を傾けることにより半導体レーザーの光軸を調整するようにしたことを特徴とする光ピックアップの半導体レーザー光軸調整装置。
【発明の詳細な説明】
【０００１】
【発明の属する技術分野】
本発明は、光ピックアップの光源となる半導体レーザーの光軸調整装置に関する。
【０００２】
【従来の技術】
信号記録媒体に記録する信号、または記録された信号を光学的に記録及び再生する光ピックアップの半導体レーザーの取付けは、半導体レーザーをパッケージに収納し、このパッケージをハウジングに固定されるケース内に配置すべく配置し、ケース内部には前記パッケージの前面外周を当接支持する保持部分がスプリングにより付勢されて配置され、前記パッケージの前面外周と前記保持部材の当接支持面とを球面状に形成し、前記パッケージを前後方向及び回転方向に位置調整可能にケースに支持し、前記パッケージを位置調整後にケースに固定するように構成されたものである。
【０００３】
【特許文献１】
特開２００２−７４６８４号
【０００４】
【発明が解決しようとする課題】
ＤＶＤ―ＲＯＭ等に使用されるディスクはＣＤ−Ｒに比べて情報量が多く当然、光ピックアップも高精度化と共に半導体レーザーからの発熱を多く放熱する必要性が要求されることになる。前述したように半導体レーザー素子はパッケージに収納し、該パッケージとケース間にスプリングと保持部材を介して取り付けられ、ケースをハウジングに取り付けられている。このように構成された半導体レーザー光軸調整装置は半導体レーザーから発熱される熱は、複数の構成部品を熱伝導するので放熱効率が悪く規定の動作温度を確保できないという問題があった。
【０００５】
本発明は、斯かる問題をアルミダイキャストにより一体成型し、半導体レーザー素子の取付け孔の周縁に放熱性接着剤を注入する注入孔を設けたことにより解決した光ピックアップの半導体レーザー光軸調整装置を提供しようとするものである。
【０００６】
【課題を解決するための手段】
半導体レーザー素子を保持しハウジングに取り付ける保持部材は、半導体レーザー素子が取り付けられる取付け孔と該取付け孔の周縁に放熱性接着剤を注入する注入孔を設けたホルダー部とハウジングに取り付けられるベース部とが金属製材料で一体成型により別ブロックに形成されると共に、前記ホルダー部とベース部間は、前記取付け孔の周縁外周方向に形成される連結部で繋がっており、連結部を支点としてべース部に対してホルダー部を傾けることにより半導体レーザーの光軸を調整するようにしたものである。
【０００７】
【実施例】
図１は本発明の半導体レーザー光軸調整装置の一実施例を示す要部の展開斜視図、図２は図１に示す実施例の要部の取り付け方法を示す展開斜視図、図３は実施例の完成状態を示す斜視図、図４は図１に示す要部の平面図、図５は図１に示す要部の断面図、図６は図５に示す異なる方向を示す要部の断面図である。
【０００８】
図において１は記憶媒体に書込みまたは読み取り動作を行うためのレーザービームを放射する半導体レーザー素子であり、金属製のパッケージを有している。２は各種光学部品が組み込まれるハウジング、３は前記半導体レーザー素子１を保持しハウジングに取り付ける保持部材であり、前記半導体レーザー素子１が取り付けられるホルダー部４とハウジング２に取り付けられるベース部５とにブロック化を形成するとともに、前記ホルダー部４とベース部５には前記ホルダー部４の中心線上にある外周方向に一体成型によるアルミダイキャストの連結部６、７で繋がっている。
【０００９】
８は前記半導体レーザー素子１をホルダー部４に取り付けられる取付け孔、９ａ、９ｂ、９ｃは前記半導体レーザー１を取付け孔８に位置合わせにより挿入後、治具によってカシメられるカシメ部、１０ａ、１０ｂ、１０ｃは放熱性接着剤を注入する注入孔であり、放熱性接着剤の一例として共立化学製ＸＳ−ＱＥ−ＯＮ１１が注入され、注入後半導体レーザー素子１と取付け孔８の支持面に放熱性接着剤がしみ込み半導体レーザー素子と１と取付け孔８の熱伝送性が向上することとなる。
【００１０】
１１ａ、１１ｂは前記連結部６、７に直交する両方向に設けられた押圧部であり、該押圧部１１ａ、１１ｂの近傍に、ネジ切りされたタップ孔１２ａ、１２ｂにネジ１３ａ、１３ｂを挿入し、ネジ１３ａをねじ込むことによりベース部５を押圧し連結部６、７の支点を変移させることにより、半導体レーザー素子１の光軸を図１に示す矢印Ａ方向に設定することが出来、ネジ１３ｂをねじ込むことによりベース部５を押圧し連結部６、７の支点を変移させることにより、半導体レーザー素子１の光軸を矢印Ｂ方向に設定することができる。
【００１１】
１４は保持部材３をハウジング２の所定の位置に取り付ける透孔であり、前記ハウジング２にネジ切りされた保持部材取付け孔１５に取付けネジ１６により取付けられる。
【００１２】
【発明の効果】
本発明は、半導体レーザー素子を保持しハウジングに取り付ける保持部材は、半導体レーザー素子が取り付けられる取付け孔と該取付け孔の周縁に放熱性接着剤を注入する注入孔を設けたホルダー部とハウジングに取り付けられるベース部とが金属製材料で一体成型により別ブロックに形成されると共に、前記ホルダー部とベース部間は、前記取付け孔の周縁外周方向に形成される連結部で繋がっており、連結部を支点としてべース部に対してホルダー部を傾けることにより半導体レーザーの光軸を調整するようにしたので、注入孔に注入された放熱性接着剤は半導体レーザー素子と取付け孔との間にしみ込み半導体レーザー素子からの熱は効率良くハウジングに放熱することができることから、半導体レーザー素子の温度を低く抑えることができる。
【図面の簡単な説明】
【図１】本発明の半導体レーザー光軸調整装置の一実施例を示す要部の展開斜視図である。
【図２】本発明の図１に示す実施例の要部の取り付け方法を示す展開斜視図である。
【図３】本発明の実施例の完成状態を示す斜視図である。
【図４】本発明の図１に示す要部の平面図である。
【図５】本発明の図１に示す要部の断面図である。
【図６】本発明の図５に示す異なる方向を示す要部の断面図である。
【符号の説明】
１        半導体レーザー素子
２        ハウジング
３        保持部材
４        ホルダー部
５        ベース部
６        連結部
７        連結部
８        取付け孔
１０ａ    注入孔
１０ｂ    注入孔
１０ｃ    注入孔
【図１】
2004171627.tif 000003
【図２】
2004171627.tif 000004
【図３】
2004171627.tif 000005
【図４】
2004171627.tif 000006
【図５】
2004171627.tif 000007
【図６】
2004171627.tif 000008